(57)【特許請求の範囲】
【請求項１】
適当径の円形パイプ状の本体（１）であって、該本体（１）の適所に適当径の円形パイプ状の枝体（２）を設ける。該本体（１）と枝体（２）の内部の接部に防塵装置付磁石（３）を弁座（４）と共に設け、該本体（１）の内部に表面に腐食防止をした弁（５）を備える。さらに震度に対する弁と弁座の作動調整をする半月状の調整弁座（６）を設置して弁を載せる。また本体（１）の内部に防塵装置（７）を設け、該本体（１）の外周部に沿って鍔状の取り付け部（８）を形成する。さらに本体（１）の前面端部に発条（９）、発条収縮部（１０）を備えた弁復元棒（１１）を取り付ける。該弁復元棒（１１）に遮蔽カバ−（１２）を設け、前記枝体（２）の端部に手動元栓（Ａ）、（Ｂ）を形成した自動遮断装置付元栓。
【請求項２】
本体（１）と枝体（２）の内部の接部に防塵装置付磁石（１３）と共に弁座（１４）を設置した〔請求項１〕記載の地震に対する高圧ガス器具の防塵装置付自動遮断装置。
【発明の詳細な説明】
【０００１】
〔発明の属する技術分野〕
本発明は、高圧ガス器具並びに高圧ガスの元栓に関する。詳しくは地震に対する高圧ガス器具の防塵装置付自動遮断装置並びに該自動遮断装置付元栓。
【０００２】
〔従来の技術〕
従来地震に対する高圧ガスの自動遮断装置は、各戸のガスメータ内部に搭載され、ガス器具、ガスの元栓には地震に対するガスの自動遮断装置の設置搭載はなされていない。
【０００３】
〔発明が解決しようとする課題〕
従来地震発生時においては、使用中のガスのツマミやガスの元栓を閉めて避難しましょうといわれているが、このことは大地震発生時においては不可能に近いことが関西大震災によって判明している。
【０００４】
本発明は、このような緊急避難時に際して、ガス器具やガスの元栓を閉めずとも自動的にガスを遮断して、大地震発生時におけるこの種原因による火災発生を防止する装置を提供することを目的とするものである。
【０００５】
〔課題を解決するための手段〕
上記目的を達成するために、本発明の地震に対する高圧ガス器具の防塵装置付自動遮断装置並びにその自動遮断装置付元栓においては、適当径の円形パイプ状の本体の適所に、適当径の円形パイプ状の枝体を設ける。前記本体と枝体の接部に防塵装置付磁石を弁座と共に設け、該本体の内部に表面に腐食防止をした弁を備える。該弁との作動調整をした調整弁座を本体内部に設置して弁を載せる。該本体の内部適所に装置の接合、設置の際に本体内部えの塵の侵入を防ぐ防塵装置を設置する。該本体の外周部に沿って、鍔状の取り付け部を設け、本体の前面端部に、発条と発条収縮部を備えた弁復元棒を取り付ける。該弁復棒に遮蔽カバーを設け、前記枝体の端部に手動元栓を形成する。
【０００６】
上記本体は、適当径の円形パイプを使用するか、または本体と枝体それに取り付け部を一体化して鋳造により形成してもよい。
【０００７】
防塵装置磁石は、円筒状の磁石の空洞部に、細目板網状のものを棒状にして、挿入形成したものを本体と枝体の接部に取り付ける。または磁石の下部の流通パイプ内に防塵装置を取り付けてもよい。
【０００８】
弁は、鉄製球状で弁の表面に腐食防止を施し、本体内部に備える。調整弁座は本体の底部に略半円状の窪みを形成して弁を載せる。この際、弁の直径と調整弁座の直径を震度に比較調整して使用する。
【０００９】
防塵装置は、本体の内径にあわせて縁を形成し、該縁に防塵装置を挿入形成して調整弁座の側面に取り付けるのがよい。装置の取り付けの際に生じる本体内部えの塵の侵入を防ぐと共に、弁の堰となる。
【００１０】
取り付け部は、装置の本体の外周部に沿って、鍔状に形成して、対象器具または対象物に装置を固定する。
【００１１】
弁復元棒は、発条と発条収縮部を貫通して形成したものを本体の前面端部に取り付ける。
【００１２】
遮蔽カバーは、発条収縮部の外部側面に螺子を形成して、弁復元棒を遮蔽するように形成する。
【００１３】
元栓は枝体の端部に手動元栓を形成する。また該外郭は鋳造により本体と一体化して形成してもよい。
【００１４】
蛇腹状の遮蔽カバーは、弁復元棒の遮蔽カバーを蛇腹状に形成して、携帯コンロ等の弁復元棒を遮蔽する。
【００１５】
〔発明実施の形態〕
発明実施の形態を実施例にもとづき図面を参照して説明する。
図１において、地震に対する高圧ガス器具の防塵装置付自動遮断装置並びに該自動遮断装置付元栓の本体、枝体、取り付け部の材質は硬質アルミ鋳物等時宜材質のものを用い、元栓の外郭部も本体と一体化して鋳造により形成してもよい。
【００１６】
防塵装置付磁石３は、円筒状の磁石の空洞部に金属性または合成樹脂系の板網状のものを棒状に巻き、円筒状の磁石の空洞部に挿入形成して、本体１と枝体２の接部に弁座４と共に設置する。
【００１７】
弁５は、鉄製球状で表面に防腐を施し、調整弁座６との作動調整をして本体１の内部に備える。調整弁座６は、本体１の内部適所に略半円状の窪みを形成して、常時弁５を載せる。
【００１８】
防塵装置７は、本体１の内径に合致する金属製の縁を形成して、防腐金属か合成樹脂系の板網状のものを棒状にして、縁に挿入形成して、調整弁座６の側面に取り付ける。
【００１９】
発条９と発条収縮部１０を備えた弁復元棒１１は、ステンレス等腐食に強いものを使用して、発条収縮部１０を貫通して形成し本体１の前面端部に取り付ける。
【００２０】
図２に示される実施例では、地震に対する高圧ガス器具の防塵装置付自動遮断装置は、装置の材質において、図１によって説明した自動遮断装置付元栓と同材質を使用するもので、本体１１及び枝体１２の接部に、防塵装置付磁石１３と共に弁座１４を設置して、さらに表面に腐食防止をした弁１５を備え、該本体の底部に略半円状の窪みを設けた調整弁座１６を設置して弁１５を載せる。さらに調整弁座１６の側面に防塵装置１７を設置する。そして地震に対する高圧ガス器具の防塵装置付自動遮断装置は、取り付け部１８の中央部に凹み状の発条収縮部２０を設けて、弁復元棒２１を貫通形成して作り、これを本体１１の前面端部に取り付けている。遮蔽カバー２２は、合成樹脂を形成して作り発条収縮部２０の外部側面に螺子を形成して取り付け、弁復元棒２１を遮蔽している。
【００２１】
図３に示される実施例では、弁復元棒３１えの蛇腹状の遮蔽カバー３２の実施例を示すもので、蛇腹状の遮蔽カバー３２を合成ゴムまたは、時宜材質により、蛇腹状に形成して作り、発条収縮部２０の外部側面に金属バンド３３によって締め付けている。
【００２２】
〔発明の効果〕
本発明は、以上説明したように構成されているので、以下に記載されるような効果を奏する。
【００２３】
高圧ガスの元栓の流通パイプ内に地震に対する高圧ガスの自動遮断装置の構成を可能にしたもので、これにより大地震発生時において、元栓を経由するガス釜、ガス台等複数ガス器具の流通ガスの同時遮断が可能となる。従って点火中の複数ガス器具の同時消火も可能となり、この種に起因する火災発生を防止することが可能となる。
【００２４】
また、装置の内部に防塵装置を設置することにより、装置の接合、元栓の対象物えの設置の際に生じる装置本体内部えの塵の侵入を防止して、弁と弁座の接合に対して不可欠の効果を奏する。
【００２５】
また、蛇腹状の遮蔽カバーを弁復元棒に設けることにより、携帯コンロ等使用するたびに装置を復元するガス器具においては、遮蔽カバーを除くことなく、ワンタッチで装置の使用が可能となり便利である。
【００２６】
また、発条収縮部を備えた弁復元棒により、発条が圧縮された場合、発条収縮部によって発条が吸収され、装置前面部の装置の突出を短縮でき種々の妨げにならず外観上も優れている。
【００２７】
従来地震に対する高圧ガスの自動遮断装置は、ガスメータ内に搭載されているが、住宅建築構造事情により、メーター設置家屋すべてにおいてガスの速断消火が可能な位置での設置はなされていないようである。このため大破壊を伴う大地震の場合は、ガス流通パイプの折損等により生じる漏洩ガスえの引火が考慮される。前記に鑑み本発明装置は、火気に最も近い位置であるガス器具、元栓部によってガスを速断消火するために、ガス管の折損等によるガス漏れ前に点火ガスの消火が可能となり火災発生を防止することが可能である。
【図面の簡単な説明】
【図１】自動遮断装置付元栓の実施例を示す縦断面図である。
【図２】地震に対する高圧ガス器具の防塵装置付自動遮断装置の実施例を示す縦断面図である。
【図３】地震に対する高圧ガス器具の防塵装置付自動遮断装置の弁復元棒に蛇腹状の遮蔽カバーを設けた実施例を示す縦断面図である。
【符号の説明】
１  本体
２  枝体
３、１３  防塵装置付磁石
４、１４  弁座
５、１５  弁
６、１６  調整弁座
７、１７  防塵装置
８、１８  鍔状の取り付け部
９、１９  発条
１０、２０  発条収縮部
１１、２１、３１  弁復元棒
１２、２２  遮蔽カバー
３２  蛇腹状の遮蔽カバー
３３  金属バンド
Ａ、Ｂ  手動元栓
【図１】
0004582382.tif 000002
【図２】
0004582382.tif 000003
【図３】
0004582382.tif 000004